(57)【要約】【課題】  自然景観との調和を図ることが可能で、優れた耐久性を有する補強壁体を提供する。【解決手段】  中間補強壁体３を、盛土の法面に配置する植生土嚢５と、植生土嚢５の後側に設けた、盛土内に埋設する埋設補強材８と、植生土嚢５の前側に設けた鉄筋メッシュ１１と、埋設補強材８及び鉄筋メッシュ１１を植生土嚢５に連結する中央連結材７と、から構成し、中央連結材７を、植生土嚢５の後側に設けた、上下方向に延びる後側柱部１７と、植生土嚢５の前側に設けて鉄筋メッシュ１１を取り付けた、上下方向に延びる前側柱部１６と、植生土嚢５の下側に設けた、柱部１６、１７を連結する連結部１８と、柱部１６、１７に跨るように植生土嚢５の上側に設けて埋設補強材８を取り付けた、柱部１６、１７に沿ってスライド可能なスライド連結部材１４と、から構成する。【選択図】    図３
2005315011.tif 000002
【特許請求の範囲】
【請求項１】
盛土の法面に配置する土嚢と、
この土嚢の後側に水平に延びるように設けた、盛土内に埋設する埋設補強材と、
土嚢の前側に設けた壁面材と、
壁面材を土嚢に連結し、かつ、埋設補強材を上下方向にスライド変位可能に土嚢に連結するための連結材と、を備えた補強壁体であって、
連結材を、前側から下側、後側及び上側にわたって土嚢を囲うようにこの土嚢に設けた、ことを特徴とする補強壁体。
【請求項２】
盛土の法面に配置する土嚢と、
この土嚢の後側に水平に延びるように設けた、盛土内に埋設する埋設補強材と、
土嚢の前側に設けた壁面材と、
埋設補強材及び壁面材を土嚢に連結するための連結材と、を備えた補強壁体であって、
連結材は、
土嚢の後側に設けた、上下方向に延びる後側柱部と、
土嚢の前側に設けて壁面材を取り付けた、上下方向に延びる前側柱部と、
土嚢が載置するようにこの土嚢の下側に設けた、前側柱部及び後側柱部を連結する連結部と、
前側柱部及び後側柱部に跨るように土嚢の上側に設けて埋設補強材を取り付けた、前側柱部及び後側柱部に沿って上下方向にスライド可能なスライド連結部材と、を有している、ことを特徴とする補強壁体。
【請求項３】
盛土の法面に配置する土嚢と、
この土嚢の後側に水平に延びるように設けた、盛土内に埋設する埋設補強材と、
土嚢の前側に設けた壁面材と、
壁面材を土嚢に連結し、かつ、埋設補強材を上下方向にスライド変位可能に土嚢に連結するための連結材と、を備えた補強壁体であって、
連結材を、前側部、下側部、後側部及び上側部から構成し、前側から下側、後側及び上側にわたって土嚢を囲うようにこの土嚢に設けるとともに、前側部よりもさらに前側に、上方に延びる貫通部を下側部に設けて構成し、
壁面材を、
複数本の木材を水平に串刺し状に貫通部に取り付けることにより構成した外壁部材と、
前側部に取り付けて土嚢と外壁部材との間に配置した、土嚢の変形を規制して外壁部材への接触を防止する変形規制部材と、から構成する、ことを特徴とする補強壁体。
【請求項４】
盛土の法面に配置する土嚢と、
この土嚢の後側に水平に延びるように設けた、盛土内に埋設する埋設補強材と、
土嚢の前側に設けた壁面材と、
埋設補強材及び壁面材を土嚢に連結するための連結材と、を備えた補強壁体であって、
連結材は、
土嚢の後側に設けた、上下方向に延びる後側柱部と、
土嚢の前側に設けた、上下方向に延びる前側柱部と、
前側柱部のさらに前側に設けた、上下方向に延びる貫通部と、
土嚢が載置するようにこの土嚢の下側に設けた、貫通部、前側柱部及び後側柱部を連結する連結部と、
前側柱部及び後側柱部に跨るように土嚢の上側に設けて埋設補強材を取り付けた、前側柱部及び後側柱部に沿って上下方向にスライド可能なスライド連結部材と、を有し、
壁面材は、
複数本の木材を水平に串刺し状に貫通部に取り付けることにより構成した外壁部材と、
前側柱部に取り付けて土嚢と外壁部材との間に配置した、土嚢の変形を規制して外壁部材への接触を防止する変形規制部材と、を有している、ことを特徴とする補強壁体。
【請求項５】
前記連結材は、前記貫通部及び前記前側柱部の上部に跨るように取り外し可能に取り付けた着脱連結部材をさらに有している、ことを特徴とする請求項４に記載の補強壁体。
【請求項６】
前記木材は間伐材である、ことを特徴とする請求項３乃至５のいずれかに記載の補強壁体。
【請求項７】
前記土嚢は植生土嚢である、ことを特徴とする請求項１乃至６のいずれかに記載の補強壁体。
【請求項８】
請求項１乃至７のいずれかに記載の補強壁体を複数個階段状に積み重ねて盛土に設置することにより盛土を補強する、ことを特徴とする補強壁構造。
【発明の詳細な説明】
【技術分野】
【０００１】
本発明は、盛土の補強に用いられる補強壁体及びこのような補強壁体を複数個用いた補強土壁構造に関する。
【背景技術】
【０００２】
従来、補強土壁を構築して盛土を補強する場合には、土留材または壁面材を積み重ねて壁面を形成するとともに、その後側または背面に盛土しながらこの盛土内に補強材を所定間隔で埋設するといった方法が用いられている。
補強材との摩擦抵抗によって土の移動を拘束できるため、このような方法を用いることにより、比較的簡単な構成で盛土の安定化を図ることが可能となる。
【０００３】
一方、このような補強土壁に使用される補強壁体としては、周囲の自然景観に調和するものが好ましい。
そこで、土留材に土嚢、例えば植生土嚢を用いたり、壁面材に間伐材等の木材を用いたりするといったことが行われている。
土留材に土嚢を用いた補強壁体としては、ジオテキスタイルと称した可撓性を有する格子状の補強材を、盛土の法面に配置した土嚢を巻き込むように盛土内に埋設して構成するものが知られている（例えば特許文献１参照）。
壁面材に木材を用いた補強壁体としては、可撓性を有する格子状の補強材を、盛土の法面を巻き込むように盛土内に埋設するとともに、この補強材の外側にフレームを設け、このフレームに壁材となる複数本の木材を串刺し状に取り付けて構成するものが知られている（例えば特許文献２参照）。
補強材と盛土の法面との間には植生マットを配置する。
また、木材は、串刺し状に取り付けてあるため、取り外し可能である、すなわち、腐食時や破損時等には交換可能である。
【０００４】
【特許文献１】特公平７−６５３１６号公報（第２−３頁、図１）
【特許文献２】特開２００１−５９２２２号公報（第４−５頁、図１、図４）
【発明の開示】
【発明が解決しようとする課題】
【０００５】
しかしながら、上記のような補強壁体では、次のような問題点がある。
＜１＞特許文献１に記載された、補強材で土嚢を巻き込む構成の補強壁体は、補強材の露出部分が劣化しやすい。
しかも、補強材の露出部分が壁面材の役割を果たすため、壁面材が変形可能な構成となってしまい、耐久性に劣ったものとなる可能性がある。
＜２＞特許文献２に記載された、壁面材に木材を用いた補強壁体は、フレームがＬ字状に形成され、土圧等によるフレームの変形を防止するために先端部同士を連結する斜タイが取り付けられることから、木材を交換する際には、この斜タイを取り外す必要がある。
しかしながら、斜タイは、盛土内に埋設されるため、容易に取り外すことができず、木材の交換作業が煩わしいものとなってしまう。
また、補強材及び植生マットが土留材の役割を果たすため、盛土地盤の転圧が不十分であると、土圧によって補強材及び植生マットが壁面材に押し付けてられてしまい、その結果、木材の交換が困難となる可能性がある。
【０００６】
本発明は上記したような従来の問題を解決するためになされたもので、自然景観との調和を図ることが可能な補強壁体であって、優れた耐久性を有し、しかも、壁面材に木材を使用した場合には、木材の交換が容易な補強壁体及びこのような補強壁体を用いた補強土壁構造を提供することを目的とする。
【課題を解決するための手段】
【０００７】
上記のような目的を達成するための本発明の補強壁体は、盛土の法面に配置する土嚢と、この土嚢の後側に水平に延びるように設けた、盛土内に埋設する埋設補強材と、土嚢の前側に設けた壁面材と、壁面材を土嚢に連結し、かつ、埋設補強材を上下方向にスライド変位可能に土嚢に連結するための連結材と、を備えた補強壁体であって、連結材を、前側から下側、後側及び上側にわたって土嚢を囲うようにこの土嚢に設けたものである。
【０００８】
また、本発明の補強壁体は、盛土の法面に配置する土嚢と、この土嚢の後側に水平に延びるように設けた、盛土内に埋設する埋設補強材と、土嚢の前側に設けた壁面材と、埋設補強材及び壁面材を土嚢に連結するための連結材と、を備えた補強壁体であって、連結材は、土嚢の後側に設けた、上下方向に延びる後側柱部と、土嚢の前側に設けて壁面材を取り付けた、上下方向に延びる前側柱部と、土嚢が載置するようにこの土嚢の下側に設けた、前側柱部及び後側柱部を連結する連結部と、前側柱部及び後側柱部に跨るように土嚢の上側に設けて埋設補強材を取り付けた、前側柱部及び後側柱部に沿って上下方向にスライド可能なスライド連結部材と、を有しているものである。
【０００９】
また、本発明の補強壁体は、盛土の法面に配置する土嚢と、この土嚢の後側に水平に延びるように設けた、盛土内に埋設する埋設補強材と、土嚢の前側に設けた壁面材と、壁面材を土嚢に連結し、かつ、埋設補強材を上下方向にスライド変位可能に土嚢に連結するための連結材と、を備えた補強壁体であって、連結材を、前側部、下側部、後側部及び上側部から構成し、前側から下側、後側及び上側にわたって土嚢を囲うようにこの土嚢に設けるとともに、前側部よりもさらに前側に、上方に延びる貫通部を下側部に設けて構成し、壁面材を、複数本の木材を水平に串刺し状に貫通部に取り付けることにより構成した外壁部材と、前側部に取り付けて土嚢と外壁部材との間に配置した、土嚢の変形を規制して外壁部材への接触を防止する変形規制部材と、から構成するものである。
【００１０】
また、本発明の補強壁体は、盛土の法面に配置する土嚢と、この土嚢の後側に水平に延びるように設けた、盛土内に埋設する埋設補強材と、土嚢の前側に設けた壁面材と、埋設補強材及び壁面材を土嚢に連結するための連結材と、を備えた補強壁体であって、連結材は、土嚢の後側に設けた、上下方向に延びる後側柱部と、土嚢の前側に設けた、上下方向に延びる前側柱部と、前側柱部のさらに前側に設けた、上下方向に延びる貫通部と、土嚢が載置するようにこの土嚢の下側に設けた、貫通部、前側柱部及び後側柱部を連結する連結部と、前側柱部及び後側柱部に跨るように土嚢の上側に設けて埋設補強材を取り付けた、前側柱部及び後側柱部に沿って上下方向にスライド可能なスライド連結部材と、を有し、壁面材は、複数本の木材を水平に串刺し状に貫通部に取り付けることにより構成した外壁部材と、前側柱部に取り付けて土嚢と外壁部材との間に配置した、土嚢の変形を規制して外壁部材への接触を防止する変形規制部材と、を有しているものである。
さらに本発明は、前記の補強壁体であって、前記連結材は、前記貫通部及び前記前側柱部の上部に跨るように取り外し可能に取り付けた着脱連結部材をさらに有しているものである。
【００１１】
さらに本発明は、前記の補強壁体であって、前記木材は間伐材であるものである。
さらに本発明は、前記の補強壁体であって、前記土嚢は植生土嚢であるものである。
【００１２】
また、本発明の補強土壁構造は、前記の補強壁体を複数個階段状に積み重ねて盛土に設置することにより盛土を補強するものである。
【発明の効果】
【００１３】
以上説明したように、本発明の補強壁体及び補強土壁構造は、次のような効果を得ることができる。
＜１＞土嚢、すなわち土留材と、壁材と、埋設補強材とをそれぞれ、別体として構成するとともに、これらを連結するための連結材を、土嚢を囲うように設けるため、構造的にも安定する。
特に、埋設補強材を上下方向にスライド可能なスライド連結部材に設け、このスライド連結部材を土嚢上に設けることにより、埋設補強材及び土嚢が圧密等による盛土地盤の沈下に効果的に追随できる。
したがって、本発明の補強壁体及び補強土壁構造は、外力及び土圧力の双方に対して優れた耐久性を有している。
＜２＞貫通部及び前記前側柱部の上部に跨るように取り外し可能に取り付けた、貫通部または連結材の変形を防止するための着脱連結部材によって壁面材を構成する木材は抜け止めされるが、着脱連結部材は、盛土の外側に露出しているため、取り外しが容易である、すなわち、木材の交換作業が容易となる。
しかも、土嚢と外壁部材との間に設けた変形規制部材により、土圧による土嚢の変形が規制され、土嚢が外壁部材に押し付けられてしまうといったことが防止されるため、木材の交換が常に容易となる。
【発明を実施するための最良の形態】
【００１４】
以下、本発明を実施するための形態を図面を参照して説明する。
【００１５】
＜１＞補強土壁構造
補強土壁構造１は、盛土を補強するものであり、図１に示すように、下側補強壁体２と中間補強壁体３と上側補強壁体４とを備えている。
下側補強壁体２は、盛土の下端部に横並びに複数個設置する。
中間補強壁体３は、下側補強壁体２に積み重ねて横並びに設置するが、盛土の高さに応じて数段に積み重ねる。
上側補強壁体４は、盛土の上端部に位置するように、中間補強壁体３に積み重ねて横並びに設置する。
【００１６】
＜２＞中間補強壁体
中間補強壁体３は、図２に示すように、盛土の法面または側面に複数個（ここでは３個）横並びに設けた植生土嚢５と、両端の植生土嚢５及び中央の植生土嚢５にそれぞれ取り付けた両端連結材６及び中央連結材７と、それぞれの両端連結材６及び中央連結材７に取り付けた、埋設補強材８と、壁面材９と、を備えている。
壁面材９は、外壁部材１０と、この外壁部材１０及び植生土嚢５の間に設けた鉄筋メッシュ１１（変形規制部材）と、を有している。
鉄筋メッシュ１１は、縦鉄筋及び横鉄筋を格子状に組み合わせて構成する。
【００１７】
＜３＞植生土嚢
植生土嚢５は、袋体内に腐葉土や植物の種子などを詰めることにより構成する。
袋体は、生育により植物が外部に突出できるように多数の孔を有する材料で形成し、横転しにくいようにほぼ立方体状またはほぼ直方体状に形成する。
また、袋体の上部には、両端連結材６または中央連結材７を取り付けるための掛け渡し帯部１２を設ける。
【００１８】
＜４＞中央連結材
中央連結材７は、図３に示すように、中央連結材本体１３と、スライド連結部材１４（上側部）と、鉄筋メッシュ取り付け部材１５と、を備えている。
中央連結材本体１３は、鋼等の金属材料よってほぼＵ字状または横倒しのコ字状に形成する。
中央連結材本体１３は、上下方向に延びる一対の柱部１６（前側部）、１７（後側部）と、前側柱部１６及び後側柱部１７の下端部同士を連結するように横方向に延びる連結部１８（下側部）と、を有している。
一対の柱部１６、１７の間隔は、植生土嚢５の幅とほぼ等しく設定する。
スライド連結部材１４は、鋼等の金属材料で形成し、棒部の両端部にそれぞれ、柱部１６、１７の外径よりもやや大きいスライド孔を設けたスライド板１９、２０を溶接等で固定することにより構成する。
その際、スライド板１９、２０のスライド孔の間隔を、一対の柱部１６、１７の間隔と等しくまたはほぼ等しく設定する。
すなわち、スライド連結部材１４は、一対の柱部１６、１７に沿って上下方向にスライドできるように構成する。
また、後側スライド板２０は、ボルトナット２１により埋設補強材８を取り付け可能に構成する。
鉄筋メッシュ取り付け部材１５は、鋼等の金属材料で板状に形成し、鉄筋メッシュ１１の縦鉄筋及び前側柱部１６がそれぞれ挿入可能な挿入孔を設ける。
鉄筋メッシュ取り付け部材１５は、挿入孔から前側柱部１６を貫通させてこの前側柱部１６の上部及び下端部にそれぞれ一対取り付けるとともに、別の挿入孔にそれぞれ、鉄筋メッシュ１１の縦鉄筋を貫通させて、一対で挟みつけることにより、鉄筋メッシュ１１を前側柱部１６に固定できるように構成する。
【００１９】
＜５＞両端連結材
両端連結材６は、図４に示すように、両端連結材本体２２と、スライド連結部材１４、と着脱連結部材２３と、を備えている。
両端連結材本体２２は、中央連結材本体１３の構造を変更したものであり、同構成の部分は同符号を付して説明を省略する。
両端連結材本体２２は、例えば鋼棒を変形や溶接などにより、ほぼＷ字状または横倒しのほぼＥ字状に形成する。
両端連結材本体２２は、前側柱部１６のさらに前側に、上下方向に延びる貫通部２４を有し、貫通部２４、柱部１６及び１７の下端部同士を、横方向に延びる連結部２５（下側部）により連結して構成する。
前側柱部１６と貫通部２４との間隔は、外壁部材１０が、例えば、鉄筋メッシュ１１に接触しないように、外壁部材１０の厚さに応じて設定する。
着脱連結部材２３は、鋼等の金属材料で板状に形成し、前側柱部１６及び貫通部２４がそれぞれ挿入可能な挿入孔を設ける。
そして、挿入孔にそれぞれ、前側柱部１６及び貫通部２４を通すことにより、前側柱部１６及び貫通部２４を連結固定できるように構成する。
【００２０】
＜６＞外壁部材
外壁部材１０は、複数本の間伐材２６から構成する。
間伐材２６は、ほぼ等しい太さのものを選定することが好ましい。
間伐材２６は、長さ方向の両側の所定個所に、径方向または幅方向に貫通する貫通孔２７を設けておく。
そして、貫通孔２７から両端連結材６の貫通部２４にそれぞれ、水平方向に串刺し状に取り付け、両端連結材６、６に張り渡すように設ける。
このようにして、複数本の間伐材２６を両端連結材６の貫通部２４に連続的に取り付けることにより、外壁部材１０を構成する。
なお、間伐材２６同士の密着性を高めるために、間伐材２６の貫通孔２７を設けた径方向または幅方向両端部をそれぞれ、あらかじめ平面状に削っておくことが好ましい。
【００２１】
＜７＞埋設補強材
埋設補強材８は、例えば鋼等の金属材料により、帯状に形成する。
なお、埋設補強材８は、土砂の拘束力を高めるために、突起やリブ等（図示せず）を設けて構成してもよい。
また、埋設補強材８は、帯状のほか、棒状、面状、格子状などに形成してもよい。
【００２２】
＜８＞組み立て
中間補強壁体３を組み立てるときは、まず、両端連結材６の貫通部２４に間伐材２６を取り付けて外壁部材１０を構成する。
これにより、両端連結材６は立設した状態に保持される。
次に、それぞれの両端連結材６の一対の柱部１６、１７の間に、植生土嚢５を連結部２５上に載置するように設ける。
そして、一対の柱部１６、１７にわたってスライド連結部材１４を配置する。
このとき、スライド連結部材１４は、一対の柱部１６、１７に沿ってスライド可能に構成してあるため、植生土嚢５上に載る。
これにより、両端連結材６は、植生土嚢５を囲うように配置される。
そしてさらに、掛け渡し帯部１２をスライド連結部材１４に掛け渡すことにより、両端連結材６を植生土嚢５に取り付ける。
一方、中央連結材７も両端連結材６と同様に、一対の柱部１６、１７の間に、植生土嚢５を連結部１８上に載置するように設け、一対の柱部１６、１７にわたってスライド連結部材１４を配置して、掛け渡し帯部１２をスライド連結部材１４に掛け渡すことにより、植生土嚢５に取り付ける。
その際、鉄筋メッシュ取り付け部材１５をあらかじめ、前側柱部１６の下端部に配置しておく。
次に、中央連結材７を取り付けた植生土嚢５を、一対の柱部１６、１７が平行またはほぼ平行となるように、両端連結材６をそれぞれ取り付けた、両端の植生土嚢５の間に配置する。
そして、中央連結材７の前側柱部１６の上部に他の鉄筋メッシュ取り付け部材１５を配置するとともに、一対の鉄筋メッシュ取り付け部材１５により、鉄筋メッシュ１１を、中央連結材７の前側柱部１６に取り付けて外壁部材１０と植生土嚢５との間に配置する。
また、両端連結材６には、前側柱部１６及び貫通部２４の上部または上端部にわたって着脱連結部材２３を取り付け、前側柱部１６及び貫通部２４を連結固定する。
着脱連結部材２３によって前側柱部１６及び貫通部２４を連結固定することにより、両端連結材６は、ほぼ矩形を構成するため、構造的な強度が高められる。
なお、柱部１６、１７及び貫通部２４の上端部に雄ネジ部（図示せず）を構成しておき、この雄ネジ部にナット等の雌ネジを嵌め付けることにより、スライド連結部材１４、鉄筋メッシュ取り付け部材１５、間伐材２６及び着脱連結部材２３を抜け止め可能に構成することが好ましい。
その後、ボルトナット２１により、スライド連結部材１４の後側スライド板２０にそれぞれ、埋設補強材８を、水平方向に延びるように長さ方向一端部を取り付ければ、中間補強壁体３の組み立てが完了する。
【００２３】
＜９＞下側補強壁体
下側補強壁体２は、中間補強壁体３の構造を変更したものであり、同構成の部分は同符号を付して説明を省略する。
下側補強壁体２は、両端連結材６及び中央連結材７にそれぞれ、水平方向に延びる埋設補強材８を２つ取り付けて構成する。
一方の埋設補強材８は、スライド連結部材１４の下側に位置するように、後側柱部１７に沿ってスライド可能に設けたスライド部材２８に、ボルトナット２１によって取り付ける。
スライド部材２８は、後側スライド板２０とほぼ等しく構成する。
下側補強壁体２も中間補強壁体３と同様に組み立てるが、両端連結材６及び中央連結材７の植生土嚢５への取り付け前に、後側柱部１７にスライド部材２８をあらかじめ取り付けておく。
【００２４】
＜１０＞補強土壁構造の構築
補強土壁構造１を構築するときは、まず、盛土の法面または側面となる位置に、下側補強壁体２の植生土嚢５を、後側柱部１７が盛土側となるように配置する。
すなわち、植生土嚢５は、表面側（前側）から下側、背面側（後側）、及び上側にわたって、両端連結材６または中央連結材７に囲われるように、盛土の法面または側面となる位置に配置する。
下側補強壁体２は、盛土の長さに応じて横並びに複数個配置する。
次に、スライド部材２８が後側柱部１７の下端部に位置するように、下側の埋設補強材８を地盤上に敷設する。
そして、下側補強壁体２の植生土嚢５の後側または背面側を、この植生土嚢５の高さとほぼ等しい高さまで盛土して埋設補強材８を埋め、この盛土Ａを転圧する。
そしてさらに、盛土Ａ上にスライド連結部材１４に取り付けた埋設補強材８を敷設する。
こうして、下側補強壁体２の盛土への設置が終了したら、下側補強壁体２の植生土嚢５上に、中間補強壁体３の植生土嚢５を階段状に積み重ねる。
中間補強壁体３も、盛土の長さに応じて横並びに複数個配置する。
そして、下側補強壁体２の設置と同様に、中間補強壁体３の植生土嚢５の後側または背面側を、この植生土嚢５の高さとほぼ等しい高さまで盛土して下側補強壁体２の埋設補強材８を埋め、この盛土Ｂを転圧して、盛土Ｂ上にスライド連結部材１４に取り付けた埋設補強材８を敷設する。
中間補強壁体３は、盛土の高さに応じて、同様に階段状に数段積み重ねて盛土に設置する。
なお、下側補強壁体２及び中間補強壁体３は、盛土への設置時に組み立ててもよく、あらかじめ組み立ててから盛土に設置してもよい。
【００２５】
＜１１＞上側補強壁体の設置
中間補強壁体３の盛土への設置が終了したら、上側補強壁体２を設置する。
上側補強壁体２は、植生土嚢２９と、連結材３０と、壁面材３１と、埋設補強材８と、を備えている。
植生土嚢２９は、植生土嚢５とほぼ等しい構成であるが、植生土嚢５よりも小さい高さに構成する。
連結材３０は、Ｌ字状または釣り針状に形成したＬ字状材３２と、中央連結材本体１３と同構成のＵ字状材３３と、スライド部材２８と、一対の鉄筋メッシュ取り付け部材１５と、を有している。
Ｌ字状材３２は、上下方向に延びる貫通部３４と、上下方向に短く延びるガイド部３５と、貫通部３４及びガイド部３５の下端部同士を連結する連結部３６と、を有し、貫通部３４とガイド部３５との間隔を、両端連結材６の貫通部２４と後側柱部１７との間隔と等しく設定する。
壁面材３１は、複数本の間伐材３７から構成した外壁部材３８と、鉄筋メッシュ３９と、を有している。
鉄筋メッシュ３９の高さは、貫通部３４の高さとほぼ等しく設定する。
上側補強壁体２の設置は、まず、複数のＬ字状材３２にわたって、貫通部３４に間伐材３７を、間伐材２６の取り付けと同様に、水平に串刺し状に取り付けて外壁部材３８を構成するとともに、ガイド部３５にスライド部材２８をスライド可能に取り付ける。
次に、これらのＬ字状材３２を最上段の中間補強壁体３の植生土嚢５上に配置するとともに、ガイド部３５に接するように連結部３６上に植生土嚢２９を配置する。
このとき、植生土嚢２９は、植生土嚢５上に階段状に積み重ねた状態にする。
次に、複数のＵ字状材３３にわたり、一対の鉄筋メッシュ取り付け部材１５によって前側柱部１６に鉄筋メッシュ３９を取り付け、これらのＵ字状材３３をそれぞれ、一対の柱部１６、１７で挟みつけ、連結部１８が載置するように、植生土嚢２９に配置する。
この状態では、鉄筋メッシュ３９は、植生土嚢２９と外壁部材３８との間に入り込む。
また、植生土嚢２９は、前側または表面側から、下側、後側または背面側、及び上側にわたって、連結材３０に囲われた状態となる。
次に、植生土嚢２９の後側または背面側を、この植生土嚢５のほぼ半分の高さまで盛土し、この盛土Ｃを転圧する。
そして、埋設補強材８を、スライド部材２８に取り付けてこの盛土Ｃ上に敷設し、鉄筋メッシュ３９よりも内側をさらに盛土してこの埋設補強材８及び植生土嚢２９を埋設し、この盛土Ｄを転圧する。
最後に、盛土Ｄの上端部または上端面に、コンクリートやアスファルトなどによって路面Ｅ等を施工することにより補強土壁構造１が完成する。
補強土壁構造１は、土留材が植生土嚢５、２９で構成され、なおかつ、埋設補強材８が上下方向にスライド可能であるため、盛土地盤の圧密沈下に追随することができる。
また、両端連結材６、中央連結材７及び連結材３０は、植生土嚢５を囲うように設けられ、両端連結材６及び中央連結材７は、上側部、すなわちスライド連結部材１４が上下方向にスライド可能であるため、土圧等による変形が効果的に防止される。
さらに、外壁部材１０、３８は、植生土嚢５、２９への直射日光を遮るため、植生土嚢５、２９の紫外線による劣化を防止する。
【００２６】
＜１２＞間伐材の交換
補強土壁構造１は、盛土地盤の圧密沈下などによって植生土嚢５、２９が変形しても、鉄筋メッシュ１１、３９により植生土嚢５、２９の外壁部材１０、３８への接触が防止される。
したがって、間伐材２６、３７の交換が容易である。
間伐材３７を取り外すときは、上方にスライドさせて貫通部３４から抜き取ればよい。
また、間伐材２６を取り外すときは、着脱連結部材２３を貫通部２４及び前側柱部１６から取り外してから、上方にスライドさせて貫通部２４から抜き取ればよい。
【００２７】
＜１３＞補強壁体及び補強土壁構造の変更例
本発明の補強壁体及び補強土壁構造は、間伐材２６、３７を用いずに構成してもよい。
このような場合には、図５に示すように、下側補強壁体２及び中間補強壁体３をそれぞれ、両端連結材６に代えて、両端の植生土嚢５にも中央連結材７を取り付けることにより構成する。
そして、鉄筋メッシュ１１を、一対の鉄筋メッシュ取り付け部材１５によってそれぞれの中央連結材７の前側柱部１６に取り付けて、植生土嚢５の前側または表面側に配置する。
すなわち、壁面材を鉄筋メッシュ１１のみで構成する。
このような構成により、植生土嚢５、２９の露出部分が大きくなるため、盛土法面または側面の緑化を効果的に図ることができる。
【図面の簡単な説明】
【００２８】
【図１】本発明の補強土壁構造を示す図である。
【図２】本発明の補強壁体の断面図である。
【図３】補強壁体の別の断面図である。
【図４】補強壁体の斜視図である。
【図５】補強壁体の変更例の斜視図である。
【符号の説明】
【００２９】
１          補強土壁構造
２          下側補強壁体
３          中間補強壁体
４          上側補強壁体
５、２９    植生土嚢
６          両端連結材
７          中央連結材
８          埋設補強材
９、３１    壁面材
１０、３８  外壁部材
１１、３９  鉄筋メッシュ（変形規制部材）
１４        スライド連結部材（上側部）
１６        前側柱部（前側部）
１７        後側柱部（後側部）
１８、２５  連結部（下側部）
２６、３７  間伐材（木材）
３０        連結材
【図１】
2005315011.tif 000003
【図２】
2005315011.tif 000004
【図３】
2005315011.tif 000005
【図４】
2005315011.tif 000006
【図５】
2005315011.tif 000007